(57)【要約】      （修正有）【課題】使用時は把持部材１を鞘３に曲がったりガタツクことなく取り付け、使い易くする。また、携帯時には、把持部材１を鞘３内に収納して埃等が付着することなく衛生的に携帯できるようにするとともに、全長が短くなって携帯し易くなる箸の提供。【解決手段】鞘３の前部に雌ネジ部３Ａを形成する。更に、把持部材１の後部にコネクター２を取り付け、コネクター２に前部雄ネジ部２Ａとストッパー部２Ｂと後部雄ネジ部２Ｃを形成する。そして、使用時はコネクター２の後部雄ネジ部２Ｃを鞘３の雌ネジ部３Ａに螺合する。また、携帯時には把持部材１を鞘３内に収納するとともにコネクター２の前部雄ネジ部２Ａを鞘３の雌ネジ部３Ａに螺合する。【選択図】図１
0003118746.tif 000002
【実用新案登録請求の範囲】
【請求項１】
前部に雌ネジ部を形成した鞘と、把持部材と、把持部材の後部に取り付けられ、前部雄ネジ部とストッパー部と後部雄ネジ部を形成したコネクターとからなり、使用時はコネクターの後部雄ネジ部が鞘の雌ネジ部に螺合され、かつ、携帯時には把持部材が鞘内に収納されるとともにコネクターの前部雄ネジ部が鞘の雌ネジ部に螺合されることを特徴とする箸。
【請求項２】
把持部材を木材で構成したことを特徴とする請求項１記載の箸。
【請求項３】
鞘を金属パイプにより構成したことを特徴とする請求項１又は２記載の箸。
【請求項４】
コネクターを金属で構成したことを特徴とする請求項１乃至３のいずれか１項に記載の箸。
【請求項５】
鞘の後部に着脱可能に頭冠を取り付けたことを特徴とする請求項１乃至４のいずれか１項に記載の箸。
【請求項６】
一対の鞘に取り付けられた頭冠を互いに紐で連結したことを特徴とする請求項１乃至５のいずれか１項に記載の箸。
【請求項７】
紐に、リングやビーズ等の装飾体や、あるいは名札等の表示体を取り付けたことを特徴とする請求項６記載の箸。
【考案の詳細な説明】
【技術分野】
【０００１】
本考案は、持ち運びに便利で、繰り返し使用できる箸に関するものである。
【背景技術】
【０００２】
従来、持ち運びに際しては短くできる上に、使用する時には通常の箸の長さにして使用でき、鞘部材の先端開口から引き出し可能に収納した把持部材を、鞘部材の内面に形成した張り出し部が把持部材の基部を抑えるとともに、鞘部材の先端開口部の突起が把持部材の基部に形成した環状溝に係止する箸が知られている。（特許文献１参照）
【特許文献１】特許第２８７３１５５号公報
【考案の開示】
【考案が解決しようとする課題】
【０００３】
しかしながら、上記した箸は、携帯状態でも把持部材の先端部が鞘部材の先端より突出しており、携帯する場合には把持部材の先端部を覆うキャップが必要となり、操作が面倒になるとともに、キャップが紛失してしまう恐れがあった。
本考案は、上記課題を解消する箸を提供することを目的とするものである。
【課題を解決するための手段】
【０００４】
本考案は、前部に雌ネジ部を形成した鞘と、把持部材と、把持部材の後部に取り付けられ、前部雄ネジ部とストッパー部と後部雄ネジ部を形成したコネクターとからなり、使用時はコネクターの後部雄ネジ部が鞘の雌ネジ部に螺合され、かつ、携帯時には把持部材が鞘内に収納されるとともにコネクターの前部雄ネジ部が鞘の雌ネジ部に螺合されることを第１の要旨とする。
【０００５】
また、把持部材を木材で構成したことを第２の要旨とする。
【０００６】
更に、鞘を金属パイプにより構成したことを第３の要旨とする。
【０００７】
更にまた、コネクターを金属で構成したことを第４の要旨とする。
【０００８】
更にまた、鞘の後部に着脱可能に頭冠を取り付けたことを第５の要旨とする。
【０００９】
更にまた、一対の鞘に取り付けられた頭冠を互いに紐で連結したことを第６の要旨とする。
【００１０】
紐に、リングやビーズ等の装飾体や、あるいは名札等の表示体を取り付けたことを第７の要旨とする。
【考案の効果】
【００１１】
本考案の箸は、使用時はコネクターの後部雄ネジ部が鞘の雌ネジ部に螺合されるので、把持部材に鞘が曲がったりガタツクことなく取り付けられ、非常に使い易い利点がある。また、携帯時には、把持部材が鞘内に収納されて埃等が付着することなく衛生的に携帯できるとともに、全長が短くなるので非常に携帯し易いという利点がある。
【考案を実施するための最良の形態】
【００１２】
使用時はコネクターの後部雄ネジ部が鞘の雌ネジ部に螺合されて通常の長さとなり、かつ、携帯時には把持部材が鞘内に収納されるとともにコネクターの前部雄ネジ部が鞘の雌ネジ部に螺合されて短くなる箸を実現した。
【実施例１】
【００１３】
図１及び図２は、本考案の実施例１を示すもので、図１の左側を前方とし、右側を後方とする。先ず、使用状態を示す図１において説明すると、木材で作製した把持部材１の後部に金属製のコネクター２をネジ接着して取り付ける。このコネクター２には、前部雄ネジ部２Ａ、ストッパー部２Ｂ及び後部雄ネジ部２Ｃが形成される。
【００１４】
ステンレスあるいはアルミ等の金属パイプからなる鞘３の前部には雌ネジ部３Ａが形成される。また、頭冠４の前部に形成された凹溝４ＡにはＯリング５が設けられ、頭冠４の天部には開口孔４Ｂが形成される。
【００１５】
この一対の頭冠４の開口孔４Ｂには外側から紐６が挿入され、紐６の両端を結んで太径に構成することにより、紐６が開口孔４Ｂより抜けるのを防止する。従って、一対の頭冠４は紐６により連結される。
【００１６】
更に、紐６には名札７が取り付けられる。尚、図示していないが、名札７の代わりにリングやビーズといった装飾体や色で識別した表示体を取り付けることも可能である。この一対の頭冠４を前記鞘３の後部にそれぞれ着脱可能に取り付ける。具体的には、頭冠４に取り付けられたＯリング５が鞘３の内面に摩擦嵌合されて着脱可能に取り付けられる。この一対の鞘３の雌ネジ部３Ａに前記したコネクター２の後部雄ネジ部２Ｃが螺合され、箸が構成される。この状態では、箸は通常の長さで使用することができる。しかも、コネクター２および鞘３が金属製で作製されて螺合されているので、把持部材１と鞘３が曲がったり揺動することなくしっかり接続されており、非常に扱い易い構成となっている。
【００１７】
次に、携帯状態を図２で説明すると、コネクター２の後部雄ネジ部２Ｃを鞘３の雌ネジ部３Ａより外し、反転して把持部材１を鞘３内に収納するとともにコネクター２の前部雄ネジ部２Ａを鞘３の雌ネジ部３Ａに螺合する。すると、全長が約半分程度と短くなり、図２の状態となる。この状態では、コネクター２および鞘３が金属製で作製されて螺合されているので、把持部材１は鞘３内で揺動することなくしっかり固定されて携帯することができる。
【００１８】
また、鞘３の内部を洗う場合には、鞘３よりコネクター２を外すとともに、鞘３から頭冠４を外すことにより鞘３が貫通状態になるので、鞘３の内部を簡単に洗うことができる。しかも、頭冠４は紐６で連結されているので紛失する心配もなくなる。
【００１９】
尚、上記実施例１では、頭冠４を鞘３に着脱可能に取り付ける手段として、Ｏリング４の摩擦嵌合で取り付けているが、頭冠を鞘に直接摩擦嵌合させたり螺合して着脱可能に取り付けることも可能である。
【産業上の利用可能性】
【００２０】
使用時はコネクターの後部雄ネジ部が鞘の雌ネジ部に螺合されるので、把持部材が鞘に曲がったりガタツクことなく取り付けられ、携帯時には把持部材が鞘内に収納されて衛生的に携帯できるとともに、全長が短くなる箸に適用できる。
【図面の簡単な説明】
【００２１】
【図１】箸の使用状態を示した断面図である。（実施例１）
【図２】箸の携帯状態を示した断面図である。（実施例１）
【符号の説明】
【００２２】
１    把持部材
２    コネクター
２Ａ    コネクター２の前部雄ネジ部
２Ｂ    コネクター２のストッパー部
２Ｃ    コネクター２の後部雄ネジ部
３    鞘
３Ａ  鞘３の雌ネジ部
４    頭冠
６    紐
７    名札
【図１】
0003118746.tif 000003
【図２】
0003118746.tif 000004